【手続補正書】
【提出日】平成23年8月10日(2011.8.10)
【手続補正１】
【補正対象書類名】特許請求の範囲
【補正対象項目名】全文
【補正方法】変更
【補正の内容】
【特許請求の範囲】
【請求項１】
地図配信サーバと携帯端末装置とを備え、地図配信サーバは地図データベースに蓄積された地図情報を携帯端末装置に送り、携帯端末装置が受信した地図情報に基づいてユーザに対して所定の地図表示を行う地図表示システムであって、
前記携帯端末装置は、
現在位置を取得する位置取得手段と、
前記地図配信サーバから受信した地図情報に基づいて地図を表示することが可能な表示手段と、
前記表示手段に表示させる地図の地点情報や前記表示手段に表示されている指示カーソルの操作入力を受け付ける操作入力手段と、
前記表示手段に第１の表示領域と第２の表示領域を表示させる表示制御手段と、
前記第１の表示領域に表示される地図の地図情報に基づいて、前記第１の表示領域における所定の表示座標を前記第２の表示領域において対応する位置の座標に変換するための変換比率を算出する変換比率算出手段と、
前記指示カーソルの指定する地点の緯度・経度情報から座標を算出すると共に、前記変換比率に基づいて第１の表示領域における座標から第２の表示領域の座標を算出する座標算出手段と、
を備え、
前記表示制御手段は、前記位置取得手段が取得した現在位置または前記操作入力手段から受け付けた地点情報を表示開始地点として、前記第１の表示領域に当該表示開始地点を中心に地図を表示させ、
前記座標算出手段は、前記指示カーソルの指定する地点の緯度・経度情報と前記第１の表示領域に表示される地図の地図情報とに基づいて、前記表示開始地点に対する指定カーソルの指定する地点の座標を算出し、
前記変換比率算出手段は、前記第１の表示領域と第２の表示領域のサイズの比率と、前記表示開始地点と指定カーソルの指定する地点との位置関係により、前記第２の表示領域における当該表示開始地点と指定カーソルの指定する地点の座標への変換比率を算出し、
前記座標算出手段は、算出された変換比率に基づいて、前記第２の表示領域における当該表示開始地点と指定カーソルの指定する地点の座標を算出し、
前記表示制御手段は、前記指示カーソルの指定する地点を中心とする地図を前記第１の表示領域に表示させると共に、算出された表示開始地点と指定カーソルの指定する地点の座標を前記第２の表示領域に表示させ、前記変換比率に基づいて算出された前記第１の表示領域に対応する領域情報を前記第２の表示領域に表示させることを特徴とする地図表示システム。
【請求項２】
前記変換比率算出手段は、前記第１の表示領域に表示する地図に経路案内情報が含まれる場合には、当該経路案内情報に含まれる出発地点と到着地点とを含むルート情報の表示領域、前記第１の表示領域、および第２の表示領域のサイズの比率と、前記表示開始地点と指定カーソルの指定する地点とルート情報との位置関係により、前記第２の表示領域における当該表示開始地点と指定カーソルの指定する地点とルート情報の座標への変換比率を算出し、
前記座標算出手段は、算出された変換比率に基づいて、前記第２の表示領域における当該表示開始地点と指定カーソルの指定する地点とルート情報の座標を算出し、
前記表示制御手段は、前記指示カーソルの指定する地点を中心とする地図を前記第１の表示領域に表示させると共に、算出された表示開始地点と指定カーソルの指定する地点とルート情報の座標を前記第２の表示領域に表示させ、前記変換比率に基づいて算出された前記第１の表示領域に対応する領域情報と前記ルート情報とを前記第２の表示領域に表示させることを特徴とする請求項１に記載の地図表示システム。
【請求項３】
前記変換比率算出手段は、前記第１の表示領域に表示する地図に施設情報が含まれる場合には、当該施設情報の表示領域、前記第１の表示領域、および第２の表示領域のサイズの比率と、前記表示開始地点と指定カーソルの指定する地点と施設情報との位置関係により、前記第２の表示領域における当該表示開始地点と指定カーソルの指定する地点と施設情報の座標への変換比率を算出し、
前記座標算出手段は、算出された変換比率に基づいて、前記第２の表示領域における当該表示開始地点と指定カーソルの指定する地点と施設情報の座標を算出し、
前記表示制御手段は、前記指示カーソルの指定する地点を中心とする地図を前記第１の表示領域に表示させると共に、算出された表示開始地点と指定カーソルの指定する地点と施設情報の座標を前記第２の表示領域に表示させ、前記変換比率に基づいて算出された前記第１の表示領域に対応する領域情報と前記施設情報とを前記第２の表示領域に表示させることを特徴とする請求項１に記載の地図表示システム。
【請求項４】
前記変換比率算出手段は、前記第１の表示領域に表示する地図に経路案内情報と施設情報が含まれる場合には、当該経路案内情報に含まれる出発地点と到着地点とを含むルート情報の表示領域、当該施設情報の表示領域、前記第１の表示領域、および第２の表示領域のサイズの比率と、前記表示開始地点と指定カーソルの指定する地点とルート情報と施設情報との位置関係により、前記第２の表示領域における当該表示開始地点、指定カーソルの指定する地点、ルート情報、および施設情報の座標への変換比率を算出し、
前記座標算出手段は、算出された変換比率に基づいて、前記第２の表示領域における当該表示開始地点と指定カーソルの指定する地点とルート情報と施設情報の座標を算出し、
前記表示制御手段は、前記指示カーソルの指定する地点を中心とする地図を前記第１の表示領域に表示させると共に、算出された表示開始地点と指定カーソルの指定する地点とルート情報と施設情報の座標を前記第２の表示領域に表示させ、前記変換比率に基づいて算出された前記第１の表示領域に対応する領域情報と前記ルート情報と前記施設情報とを前記第２の表示領域に表示させることを特徴とする請求項１に記載の地図表示システム。
【請求項５】
前記操作入力手段による地図の拡大・縮小動作が検出されると、前記変換比率算出手段は、前記第１の表示領域と第２の表示領域のサイズの比率と、前記表示開始地点と指定カーソルの指定する地点との位置関係により、前記第２の表示領域における当該表示開始地点と指定カーソルの指定する地点の座標への変換比率を算出し、
前記座標算出手段は、算出された変換比率に基づいて、前記第２の表示領域における当該表示開始地点と指定カーソルの指定する地点の座標を算出し、
前記表示制御手段は、前記指示カーソルの指定する地点を中心とする地図を前記第１の表示領域に拡大あるいは縮小表示させると共に、算出された表示開始地点と指定カーソルの指定する地点の座標を前記第２の表示領域に表示させ、前記変換比率に基づいて算出された前記第１の表示領域に対応する領域情報を前記第２の表示領域に表示させることを特徴とする請求項１に記載の地図表示システム。
【請求項６】
前記第１の表示領域に表示する地図に経路案内情報が含まれる場合において、前記操作入力手段による地図の拡大・縮小動作が検出されると、前記変換比率算出手段は、前記経路案内情報に含まれる出発地点と到着地点とを含むルート情報の表示領域、前記第１の表示領域、および第２の表示領域のサイズの比率と、前記表示開始地点と指定カーソルの指定する地点とルート情報との位置関係より、前記第２の表示領域における当該表示開始地点と指定カーソルの指定する地点とルート情報の座標への変換比率を算出し、
前記座標算出手段は、算出された変換比率に基づいて、前記第２の表示領域における当該表示開始地点と指定カーソルの指定する地点とルート情報の座標を算出し、
前記表示制御手段は、前記指示カーソルの指定する地点を中心とする地図を前記第１の表示領域に拡大あるいは縮小表示させると共に、算出された表示開始地点と指定カーソルの指定する地点とルート情報の座標を前記第２の表示領域に表示させ、前記変換比率に基づいて算出された前記第１の表示領域に対応する領域情報と前記ルート情報とを前記第２の表示領域に表示させることを特徴とする請求項１又は請求項２に記載の地図表示システム。
【請求項７】
前記第１の表示領域に表示する地図に施設情報が含まれる場合において、前記操作入力手段による地図の拡大・縮小動作が検出されると、前記変換比率算出手段は、前記施設情報の表示領域、前記第１の表示領域、および第２の表示領域のサイズの比率と、前記表示開始地点と指定カーソルの指定する地点と施設情報との位置関係より、前記第２の表示領域における当該表示開始地点と指定カーソルの指定する地点と施設情報の座標への変換比率を算出し、
前記座標算出手段は、算出された変換比率に基づいて、前記第２の表示領域における当該表示開始地点と指定カーソルの指定する地点と施設情報の座標を算出し、
前記表示制御手段は、前記指示カーソルの指定する地点を中心とする地図を前記第１の表示領域に拡大あるいは縮小表示させると共に、算出された表示開始地点と指定カーソルの指定する地点と施設情報の座標を前記第２の表示領域に表示させ、前記変換比率に基づいて算出された前記第１の表示領域に対応する領域情報と前記施設情報とを前記第２の表示領域に表示させることを特徴とする請求項１又は請求項３に記載の地図表示システム。
【請求項８】
前記第１の表示領域に表示する地図に経路案内情報と施設情報が含まれる場合において、前記操作入力手段による地図の拡大・縮小動作が検出されると、前記変換比率算出手段は、前記経路案内情報に含まれる出発地点と到着地点とを含むルート情報の表示領域、前記施設情報の表示領域、前記第１の表示領域、および第２の表示領域のサイズの比率と、前記表示開始地点と指定カーソルの指定する地点とルート情報と施設情報との位置関係により、前記第２の表示領域における当該表示開始地点、指定カーソルの指定する地点、ルート情報および施設情報の座標への変換比率を算出し、
前記座標算出手段は、算出された変換比率に基づいて、前記第２の表示領域における当該表示開始地点と指定カーソルの指定する地点とルート情報と施設情報の座標を算出し、
前記表示制御手段は、前記指示カーソルの指定する地点を中心とする地図を前記第１の表示領域に拡大あるいは縮小表示させると共に、算出された表示開始地点と指定カーソルの指定する地点とルート情報と施設情報の座標を前記第２の表示領域に表示させ、前記変換比率に基づいて算出された前記第１の表示領域に対応する領域情報と前記ルート情報と前記施設情報とを前記第２の表示領域に表示させることを特徴とする請求項１又は請求項４に記載の地図表示システム。
【請求項９】
前記表示制御手段は、前記第１の表示領域に表示する地図に経路案内情報が含まれる場合には、前記第２の表示領域に当該経路案内情報に対応する記号を表示することを特徴とする請求項２、請求項４、請求項６、請求項８の何れか１項に記載の地図表示システム。
【請求項１０】
前記表示制御手段は、前記第１の表示領域に表示する地図に施設情報が含まれる場合には、前記第２の表示領域に当該施設情報に対応する記号を表示することを特徴とする請求項３、請求項４、請求項７、請求項８の何れか１項に記載の地図表示システム。
【請求項１１】
前記表示制御手段は、前記第２の表示領域を前記第１の表示領域よりも小さい大きさで当該第１の表示領域に重畳するように単色かつ透過的に表示することを特徴とする請求項１乃至請求項１０の何れか１項に記載の地図表示システム。
【請求項１２】
地図配信サーバから地図データベースに蓄積された地図情報を受信し、受信した地図情報に基づいてユーザに対して所定の地図表示を行う携帯端末装置であって、
現在位置を取得する位置取得手段と、
前記地図配信サーバから受信した地図情報に基づいて地図を表示することが可能な表示手段と、
前記表示手段に表示させる地図の地点情報や前記表示手段に表示されている指示カーソルの操作入力を受け付ける操作入力手段と、
前記表示手段に第１の表示領域と第２の表示領域を表示させる表示制御手段と、
前記第１の表示領域に表示される地図の地図情報に基づいて、前記第１の表示領域における所定の表示座標を前記第２の表示領域において対応する位置の座標に変換するための変換比率を算出する変換比率算出手段と、
前記指示カーソルの指定する地点の緯度・経度情報から座標を算出すると共に、前記変換比率に基づいて第１の表示領域における座標から第２の表示領域の座標を算出する座標算出手段と、
を備え、
前記表示制御手段は、前記位置取得手段が取得した現在位置または前記操作入力手段から受け付けた地点情報を表示開始地点として、前記第１の表示領域に当該表示開始地点を中心に地図を表示させ、
前記座標算出手段は、前記指示カーソルの指定する地点の緯度・経度情報と前記第１の表示領域に表示される地図の地図情報とに基づいて、前記表示開始地点に対する指定カーソルの指定する地点の座標を算出し、
前記変換比率算出手段は、前記第１の表示領域と第２の表示領域のサイズの比率と、前記表示開始地点と指定カーソルの指定する地点との位置関係により、前記第２の表示領域における当該表示開始地点と指定カーソルの指定する地点の座標への変換比率を算出し、
前記座標算出手段は、算出された変換比率に基づいて、前記第２の表示領域における当該表示開始地点と指定カーソルの指定する地点の座標を算出し、
前記表示制御手段は、前記指示カーソルの指定する地点を中心とする地図を前記第１の表示領域に表示させると共に、算出された表示開始地点と指定カーソルの指定する地点の座標を前記第２の表示領域に表示させ、前記変換比率に基づいて算出された前記第１の表示領域に対応する領域情報を前記第２の表示領域に表示させることを特徴とする携帯端末装置。
【請求項１３】
地図配信サーバから地図データベースに蓄積された地図情報を受信し、受信した地図情報に基づいてユーザに対して所定の地図表示を行う携帯端末装置における地図表示方法であって、
現在位置を取得する位置取得手段と、
前記地図配信サーバから受信した地図情報に基づいて地図を表示することが可能な表示手段と、
前記表示手段に表示させる地図の地点情報や前記表示手段に表示されている指示カーソルの操作入力を受け付ける操作入力手段と、
前記表示手段に第１の表示領域と第２の表示領域を表示させる表示制御手段と、
前記第１の表示領域に表示される地図の地図情報に基づいて、前記第１の表示領域における所定の表示座標を前記第２の表示領域において対応する位置の座標に変換するための変換比率を算出する変換比率算出手段と、
前記指示カーソルの指定する地点の緯度・経度情報から座標を算出すると共に、前記変換比率に基づいて第１の表示領域における座標から第２の表示領域の座標を算出する座標算出手段と、
を備え、
前記表示制御手段によって、前記位置取得手段が取得した現在位置または前記操作入力手段から受け付けた地点情報を表示開始地点として、前記第１の表示領域に当該表示開始地点を中心に地図を表示させる第１のステップと、
前記座標算出手段によって、前記指示カーソルの指定する地点の緯度・経度情報と前記第１の表示領域に表示される地図の地図情報とに基づいて、前記表示開始地点に対する指定カーソルの指定する地点の座標を算出する第２ステップと、
前記変換比率算出手段によって、前記第１の表示領域と第２の表示領域のサイズの比率と、前記表示開始地点と指定カーソルの指定する地点との位置関係により、前記第２の表示領域における当該表示開始地点と指定カーソルの指定する地点の座標への変換比率を算出する第３のステップと、
前記座標算出手段によって、前記第３のステップにおいて算出された変換比率に基づいて、前記第２の表示領域における当該表示開始地点と指定カーソルの指定する地点の座標を算出する第４のステップと、
前記表示制御手段によって、前記指示カーソルの指定する地点を中心とする地図を前記第１の表示領域に表示すると共に、前記第４のステップにおいて算出された表示開始地点と指定カーソルの指定する地点の座標を前記第２の表示領域に表示し、前記変換比率に基づいて算出された前記第１の表示領域に対応する領域情報を前記第２の表示領域に表示する第５のステップと、
を有することを特徴とする地図表示方法。
【手続補正２】
【補正対象書類名】明細書
【補正対象項目名】００１２
【補正方法】変更
【補正の内容】
【００１２】
前記課題を解決するために、本願の請求項１に係る発明は、
地図配信サーバと携帯端末装置とを備え、地図配信サーバは地図データベースに蓄積された地図情報を携帯端末装置に送り、携帯端末装置が受信した地図情報に基づいてユーザに対して所定の地図表示を行う地図表示システムであって、
前記携帯端末装置は、
現在位置を取得する位置取得手段と、
前記地図配信サーバから受信した地図情報に基づいて地図を表示することが可能な表示手段と、
前記表示手段に表示させる地図の地点情報や前記表示手段に表示されている指示カーソルの操作入力を受け付ける操作入力手段と、
前記表示手段に第１の表示領域と第２の表示領域を表示させる表示制御手段と、
前記第１の表示領域に表示される地図の地図情報に基づいて、前記第１の表示領域における所定の表示座標を前記第２の表示領域において対応する位置の座標に変換するための変換比率を算出する変換比率算出手段と、
前記指示カーソルの指定する地点の緯度・経度情報から座標を算出すると共に、前記変換比率に基づいて第１の表示領域における座標から第２の表示領域の座標を算出する座標算出手段と、
を備え、
前記表示制御手段は、前記位置取得手段が取得した現在位置または前記操作入力手段から受け付けた地点情報を表示開始地点として、前記第１の表示領域に当該表示開始地点を中心に地図を表示させ、
前記座標算出手段は、前記指示カーソルの指定する地点の緯度・経度情報と前記第１の表示領域に表示される地図の地図情報とに基づいて、前記表示開始地点に対する指定カーソルの指定する地点の座標を算出し、
前記変換比率算出手段は、前記第１の表示領域と第２の表示領域のサイズの比率と、前記表示開始地点と指定カーソルの指定する地点との位置関係により、前記第２の表示領域における当該表示開始地点と指定カーソルの指定する地点の座標への変換比率を算出し、
前記座標算出手段は、算出された変換比率に基づいて、前記第２の表示領域における当該表示開始地点と指定カーソルの指定する地点の座標を算出し、
前記表示制御手段は、前記指示カーソルの指定する地点を中心とする地図を前記第１の表示領域に表示させると共に、算出された表示開始地点と指定カーソルの指定する地点の座標を前記第２の表示領域に表示させ、前記変換比率に基づいて算出された前記第１の表示領域に対応する領域情報を前記第２の表示領域に表示させることを特徴とする。
【手続補正３】
【補正対象書類名】明細書
【補正対象項目名】００２３
【補正方法】変更
【補正の内容】
【００２３】
また、本願の請求項１２に係る発明は、
地図配信サーバから地図データベースに蓄積された地図情報を受信し、受信した地図情報に基づいてユーザに対して所定の地図表示を行う携帯端末装置であって、
現在位置を取得する位置取得手段と、
前記地図配信サーバから受信した地図情報に基づいて地図を表示することが可能な表示手段と、
前記表示手段に表示させる地図の地点情報や前記表示手段に表示されている指示カーソルの操作入力を受け付ける操作入力手段と、
前記表示手段に第１の表示領域と第２の表示領域を表示させる表示制御手段と、
前記第１の表示領域に表示される地図の地図情報に基づいて、前記第１の表示領域における所定の表示座標を前記第２の表示領域において対応する位置の座標に変換するための変換比率を算出する変換比率算出手段と、
前記指示カーソルの指定する地点の緯度・経度情報から座標を算出すると共に、前記変換比率に基づいて第１の表示領域における座標から第２の表示領域の座標を算出する座標算出手段と、
を備え、
前記表示制御手段は、前記位置取得手段が取得した現在位置または前記操作入力手段から受け付けた地点情報を表示開始地点として、前記第１の表示領域に当該表示開始地点を中心に地図を表示させ、
前記座標算出手段は、前記指示カーソルの指定する地点の緯度・経度情報と前記第１の表示領域に表示される地図の地図情報とに基づいて、前記表示開始地点に対する指定カーソルの指定する地点の座標を算出し、
前記変換比率算出手段は、前記第１の表示領域と第２の表示領域のサイズの比率と、前記表示開始地点と指定カーソルの指定する地点との位置関係により、前記第２の表示領域における当該表示開始地点と指定カーソルの指定する地点の座標への変換比率を算出し、
前記座標算出手段は、算出された変換比率に基づいて、前記第２の表示領域における当該表示開始地点と指定カーソルの指定する地点の座標を算出し、
前記表示制御手段は、前記指示カーソルの指定する地点を中心とする地図を前記第１の表示領域に表示させると共に、算出された表示開始地点と指定カーソルの指定する地点の座標を前記第２の表示領域に表示させ、前記変換比率に基づいて算出された前記第１の表示領域に対応する領域情報を前記第２の表示領域に表示させることを特徴とする。
【手続補正４】
【補正対象書類名】明細書
【補正対象項目名】００２４
【補正方法】削除
【補正の内容】
【手続補正５】
【補正対象書類名】明細書
【補正対象項目名】００２５
【補正方法】削除
【補正の内容】
【手続補正６】
【補正対象書類名】明細書
【補正対象項目名】００２６
【補正方法】削除
【補正の内容】
【手続補正７】
【補正対象書類名】明細書
【補正対象項目名】００２７
【補正方法】削除
【補正の内容】
【手続補正８】
【補正対象書類名】明細書
【補正対象項目名】００２８
【補正方法】削除
【補正の内容】
【手続補正９】
【補正対象書類名】明細書
【補正対象項目名】００２９
【補正方法】削除
【補正の内容】
【手続補正１０】
【補正対象書類名】明細書
【補正対象項目名】００３０
【補正方法】削除
【補正の内容】
【手続補正１１】
【補正対象書類名】明細書
【補正対象項目名】００３１
【補正方法】削除
【補正の内容】
【手続補正１２】
【補正対象書類名】明細書
【補正対象項目名】００３２
【補正方法】削除
【補正の内容】
【手続補正１３】
【補正対象書類名】明細書
【補正対象項目名】００３３
【補正方法】削除
【補正の内容】
【手続補正１４】
【補正対象書類名】明細書
【補正対象項目名】００３４
【補正方法】変更
【補正の内容】
【００３４】
さらに、本願の請求項１３に係る発明は、
地図配信サーバから地図データベースに蓄積された地図情報を受信し、受信した地図情報に基づいてユーザに対して所定の地図表示を行う携帯端末装置における地図表示方法であって、
現在位置を取得する位置取得手段と、
前記地図配信サーバから受信した地図情報に基づいて地図を表示するが可能な表示手段と、
前記表示手段に表示させる地図の地点情報や前記表示手段に表示されている指示カーソルの操作入力を受け付ける操作入力手段と、
前記表示手段に第１の表示領域と第２の表示領域を表示させる表示制御手段と、
前記第１の表示領域に表示される地図の地図情報に基づいて、前記第１の表示領域における所定の表示座標を前記第２の表示領域において対応する位置の座標に変換するための変換比率を算出する変換比率算出手段と、
前記指示カーソルの指定する地点の緯度・経度情報から座標を算出すると共に、前記変換比率に基づいて第１の表示領域における座標から第２の表示領域の座標を算出する座標算出手段と、
を備え、
前記表示制御手段によって、前記位置取得手段が取得した現在位置または前記操作入力手段から受け付けた地点情報を表示開始地点として、前記第１の表示領域に当該表示開始地点を中心に地図を表示させる第１のステップと、
前記座標算出手段によって、前記指示カーソルの指定する地点の緯度・経度情報と前記第１の表示領域に表示される地図の地図情報とに基づいて、前記表示開始地点に対する指定カーソルの指定する地点の座標を算出する第２ステップと、
前記変換比率算出手段によって、前記第１の表示領域と第２の表示領域のサイズの比率と、前記表示開始地点と指定カーソルの指定する地点との位置関係により、前記第２の表示領域における当該表示開始地点と指定カーソルの指定する地点の座標への変換比率を算出する第３のステップと、
前記座標算出手段によって、前記第３のステップにおいて算出された変換比率に基づいて、前記第２の表示領域における当該表示開始地点と指定カーソルの指定する地点の座標を算出する第４のステップと、
前記表示制御手段によって、前記指示カーソルの指定する地点を中心とする地図を前記第１の表示領域に表示すると共に、前記第４のステップにおいて算出された表示開始地点と指定カーソルの指定する地点の座標を前記第２の表示領域に表示し、前記変換比率に基づいて算出された前記第１の表示領域に対応する領域情報を前記第２の表示領域に表示する第５のステップと、
を有することを特徴とする。
【手続補正１５】
【補正対象書類名】明細書
【補正対象項目名】００３５
【補正方法】削除
【補正の内容】
【手続補正１６】
【補正対象書類名】明細書
【補正対象項目名】００３６
【補正方法】削除
【補正の内容】
【手続補正１７】
【補正対象書類名】明細書
【補正対象項目名】００３７
【補正方法】削除
【補正の内容】
【手続補正１８】
【補正対象書類名】明細書
【補正対象項目名】００３８
【補正方法】削除
【補正の内容】
【手続補正１９】
【補正対象書類名】明細書
【補正対象項目名】００３９
【補正方法】削除
【補正の内容】
【手続補正２０】
【補正対象書類名】明細書
【補正対象項目名】００４０
【補正方法】削除
【補正の内容】
【手続補正２１】
【補正対象書類名】明細書
【補正対象項目名】００４１
【補正方法】削除
【補正の内容】
【手続補正２２】
【補正対象書類名】明細書
【補正対象項目名】００４２
【補正方法】削除
【補正の内容】
【手続補正２３】
【補正対象書類名】明細書
【補正対象項目名】００４３
【補正方法】削除
【補正の内容】
【手続補正２４】
【補正対象書類名】明細書
【補正対象項目名】００４４
【補正方法】削除
【補正の内容】
【手続補正２５】
【補正対象書類名】明細書
【補正対象項目名】００４５
【補正方法】変更
【補正の内容】
【００４５】
請求項１に係る発明においては、位置取得手段が取得した現在位置または操作入力手段から受け付けた地点情報を表示開始地点として、表示制御手段が表示手段の第１の表示領域に当該表示開始地点を中心に地図を表示させ、座標算出手段は、指示カーソルの指定する地点の緯度・経度情報と前記第１の表示領域に表示される地図の地図情報とに基づいて、前記表示開始地点に対する指定カーソルの指定する地点の座標を算出し、変換比率算出手段は、前記第１の表示領域と第２の表示領域のサイズの比率と、前記表示開始地点と指定カーソルの指定する地点との位置関係により、前記第２の表示領域における当該表示開始地点と指定カーソルの指定する地点の座標への変換比率を算出するように構成した。
【手続補正２６】
【補正対象書類名】明細書
【補正対象項目名】００６３
【補正方法】変更
【補正の内容】
【００６３】
また、請求項１２に係る発明においては、それぞれ請求項１乃至請求項１１に係る地図表示システムを構成する携帯端末装置を提供することができ、請求項１３に係る発明においては、それぞれ請求項１乃至請求項１１に係る地図表示システムを実現するための地図表示方法を提供することができるようになる。